(57)【要約】 【課題】排液量を正確に把握できる医療用排液用具を提供すること。【解決手段】医療用排液用具１は、接続用チューブ１１と、接続用チューブ１１に接続され、中空の弾性体であるポンプ１２１を含む吸引器１２と、吸引器１２のポンプ１２１に接続され、接続用チューブ１１およびポンプ１２１を介して吸引した排液を貯留する貯留バッグ１３と、ポンプ１２１から貯留バッグ１３へ流れる気体および排液を通すとともに、前記貯留バッグ１３からポンプ１２１への気体および排液の流れを防止する逆止弁１７とを備える。接続用チューブ１１には、接続用チューブ１１内へ気体を供給する気体供給手段１５が接続されている。【選択図】 図１
2013070901.tif 000002
【特許請求の範囲】
【請求項１】
排液を吸引および貯留する医療用排液用具であって、
カテーテルに接続される接続用チューブと、
前記接続用チューブに接続される中空の弾性体を含んで構成される吸引器と、
前記吸引器の前記中空の弾性体に接続され、前記接続用チューブおよび前記中空の弾性体を介して吸引した排液を貯留する貯留バッグと、
前記吸引器の前記中空の弾性体から前記貯留バッグへ流れる気体および排液を通すとともに、前記貯留バッグから前記吸引器の前記中空の弾性体への気体および排液の流れを防止する逆止弁とを備え、
前記接続用チューブには、前記接続用チューブ内へ気体を供給する気体供給手段が接続されている医療用排液用具。
【請求項２】
請求項１に記載の医療用排液用具において、
前記吸引器は、前記接続用チューブから前記吸引器の中空の弾性体へ流れる気体および排液を通すとともに、前記吸引器の中空の弾性体から前記接続用チューブへの気体および排液の流れを防止する他の逆止弁を有する医療用排液用具。
【請求項３】
請求項１または２に記載の医療用排液用具において、
前記気体供給手段は、前記接続用チューブのうち、前記接続用チューブの長手方向の中央部から前記吸引器に接続された部分までの間の領域に接続される医療用排液用具。
【請求項４】
請求項１乃至３のいずれかに記載の医療用排液用具において、
前記気体供給手段からの気体の供給、停止を切り替える切り替え手段を備える医療用排液用具。
【請求項５】
請求項１乃至４のいずれかに記載の医療用排液用具において、
前記気体供給手段は、一方の端部が前記接続用チューブに接続されるチューブと、
このチューブの他方の端部に接続された気体供給源とを備え、
前記弾性体を圧搾し、この圧搾を解除することにより、前記接続用チューブ内で発生する負圧の最大値よりも、前記気体供給源の気圧が高い医療用排液用具。
【請求項６】
請求項５に記載の医療用排液用具において、
前記気体供給源の気圧は、大気圧以上である医療用排液用具。
【請求項７】
請求項５または６に記載の医療用排液用具において、
前記気体供給手段のチューブの他方の端部は、前記気体供給源である大気に接続されている医療用排液用具。
【請求項８】
請求項７に記載の医療用排液用具において、
前記チューブには、除菌フィルタが設けられ、
前記除菌フィルタを通過した大気が、前記接続用チューブ内に供給される医療用排液用具。
【請求項９】
請求項５または６に記載の医療用排液用具において、
前記気体供給源は、内部に気体が存在する前記貯留バッグであり、
前記気体供給手段のチューブの他方の端部は、前記気体供給源である貯留バッグに接続されている医療用排液用具。
【請求項１０】
請求項１乃至９のいずれかに記載の医療用排液用具において、
前記吸引器の前記中空の弾性体を圧搾するとともに、この圧搾を解除することで、前記接続用チューブ内および前記中空の弾性体内部を負圧とし、この負圧により前記排液が前記接続用チューブおよび前記中空の弾性体内部に吸引され、
前記弾性体内部に吸引された前記排液は、前記逆止弁を介して、前記貯留バッグに貯留され、
前記気体供給手段からの気体を前記接続用チューブに供給することで、前記接続用チューブを介して、前記気体が前記弾性体の内部に供給され、前記弾性体内の圧力が高められ、
前記弾性体内部に存在する前記排液が、前記貯留バッグに流れることが促進される構成である医療用排液用具。
【発明の詳細な説明】
【技術分野】
【０００１】
本発明は、医療用排液用具に関する。
【背景技術】
【０００２】
従来、人体の創腔等から排液を吸引、貯留するための医療用排液用具が利用されている。たとえば、特許文献１に開示された医療用排液具を図４に示す。この特許文献１には、吸引器９１と、この吸引器９１に接続される収集バッグ９２とを含んで構成される医療用排液用具９０が開示されている。吸引器９１には、チューブ９３が接続されている。
【０００３】
この医療用排液用具９０では、吸引器９１を圧搾した後、圧搾を解除すると、吸引器９１が戻ろうとする復元力が発生する。この復元力により負圧が発生し、創腔等から排液が吸引されることとなる。吸引された排液は、吸引器９１を介して収集バッグ９２に貯留される。具体的には、吸引器９１内部の排液は、自重により収集バッグ９２内部に落下する。
なお、収集バッグ９２の排液の流入口には、バルブ部材が設けられている。
【先行技術文献】
【特許文献】
【０００４】
【特許文献１】特開平５−１１５５５６号公報
【発明の概要】
【発明が解決しようとする課題】
【０００５】
特許文献１に開示された医療用排液用具９０には、さらなる改良の余地があることがわかった。この点について以下に説明する。
前述したように、吸引器９１を圧搾し、この圧搾を解除すると、吸引器９１およびチューブ９３内は、負圧となる。収集バッグ９２の排液の流入口には、バルブ部材が設けられているため、収集バッグ９２が吸引器９１に取り付けられた状態で、吸引器９１を圧搾しても、収集バッグ９２内部の圧力に変動はない。したがって、吸引器９１内部は、負圧となる一方、収集バッグ９２側は吸引器９１内部に比べて陽圧となる。また、特許文献１には、吸引器９１を圧搾し、圧搾を解除した後、収集バッグ９２を吸引器９１に取り付ける使用方法も開示されているが、この使用方法を実施した場合においても、吸引器９１内部は、負圧となる一方、収集バッグ９２側は吸引器９１内部に比べて陽圧となる。
そのため、吸引器９１内部の排液が収集バッグ９２へ落下しにくくなる。
【０００６】
これに加え、吸引器９１内部から収集バッグ９２へ排液が排出されると、排液の体積分だけ、吸引器９１内部の気圧は低下する。一方で、収集バッグ９２内部には排液がたまっていくので収集バッグ９２の内部の気圧は高くなる。これによっても、排液が吸引器９１側から収集バッグ９２側に落下しにくくなる。
以上のように、吸引器９１内部の排液を、収集バッグ９２に排出しにくくなるため、収集バッグ９２に貯留された排液量を計測しても、実際に人体等から排出された排液の量を正確に把握することは難しい。
【課題を解決するための手段】
【０００７】
本発明によれば、排液を吸引および貯留する医療用排液用具であって、カテーテルに接続される接続用チューブと、前記接続用チューブに接続される中空の弾性体を含んで構成される吸引器と、前記吸引器の前記中空の弾性体に接続され、前記接続用チューブおよび前記中空の弾性体を介して吸引した排液を貯留する貯留バッグと、前記吸引器の前記中空の弾性体から前記貯留バッグへ流れる気体および排液を通すとともに、前記貯留バッグから前記吸引器の前記中空の弾性体への気体および排液の流れを防止する逆止弁とを備え、前記接続用チューブには、前記接続用チューブ内へ気体を供給する気体供給手段が接続されている医療用排液用具が提供される。
【０００８】
この医療用排液用具では、吸引器の中空の弾性体を圧搾した後、圧搾を解除すると、前記接続チューブ内および前記中空の弾性体内部は負圧となる。これにより、排液が接続用チューブおよび前記中空の弾性体内部に吸引されることとなる。そして、前記弾性体内部に吸引された前記排液は、逆止弁を介して、前記貯留バッグに貯留される。この逆止弁は、中空の弾性体から前記貯留バッグへ流れる気体および排液を通すとともに、前記貯留バッグから前記中空の弾性体への気体および排液の流れを防止するものであるため、中空の弾性体を圧搾することにより、貯留バッグ内の気体が吸引器側に吸引されることはなく、貯留バッグ内の気圧は低下しない。
ここで、本発明では、接続用チューブに気体供給手段が接続されている。接続用チューブは、吸引器の中空の弾性体に接続されているため、気体供給手段により、接続用チューブ内に気体を供給すると、この気体は、吸引器の中空の弾性体まで流れることとなる。弾性体内部に気体が供給されることで、弾性体内部の気圧が高まることとなり、貯留バッグ内部の気圧を弾性体内部の気圧に近づける、あるいは、弾性体内部の気圧を、貯留バッグ内部の気圧よりも高めることができる。
これにより、弾性体内部の排液は、貯留バッグ側に排出されやすくなり、弾性体内部に排液が残存してしまうことが抑制される。そのため、排液量を正確に計測することができ、使い勝手のよい医療用排液用具を提供することができる。
【発明の効果】
【０００９】
本発明によれば、排液量を正確に把握できる医療用排液用具が提供される。
【図面の簡単な説明】
【００１０】
【図１】本発明の第一実施形態にかかる医療用排液用具を示す模式図である。
【図２】本発明の第一実施形態にかかる医療用排液用具を示す模式図である。
【図３】本発明の第一実施形態にかかる医療用排液用具を示す模式図である。
【図４】従来の医療用排液用具を示す模式図である。
【発明を実施するための形態】
【００１１】
以下、本発明の実施形態を図面に基づいて説明する。なお、すべての図面において、同様な構成要素には同一符号を付し、その詳細な説明は重複しないように適宜省略される。
また、以下の実施形態において、排液は、カテーテル３、接続用チューブ１１、逆止弁１２４、ポンプ１２１、逆止弁１７を介して貯留バッグ１３に流れるため、カテーテル３側を上流側、貯留バッグ１３側を下流側という。
（第一実施形態）
はじめに、図１を参照して、本実施形態の医療用排液用具１の概要について説明する。
本実施形態の医療用排液用具１は、人体の創腔等から滲出液等の排液を吸引し、貯留するものである。この医療用排液用具１は、カテーテル３に接続される接続用チューブ１１と、接続用チューブ１１に接続され、中空の弾性体であるポンプ１２１を含む吸引器１２と、吸引器１２のポンプ１２１に接続され、接続用チューブ１１およびポンプ１２１を介して吸引した排液を貯留する貯留バッグ１３と、ポンプ１２１から前記貯留バッグ１３へ流れる気体および排液を通すとともに、前記貯留バッグ１３から前記ポンプ１２１への気体および排液の流れを防止する逆止弁１７とを備える。接続用チューブ１１には、接続用チューブ１１内へ気体を供給する気体供給手段１５が接続されている。
【００１２】
次に、医療用排液用具１について詳細に説明する。
接続用チューブ１１は、一方の端部１１１に、カテーテル３が接続され、他方の端部１１２に吸引器１２が接続される
吸引器１２は、中空の弾性体で構成されるポンプ１２１と、このポンプ１２１内部に連通した筒状の第一接続部１２２と、筒状の第二接続部１２３と、逆止弁１２４とを備える。
ポンプ１２１は、たとえば、中空の球体の弾性体である。より具体的には、たとえば、ポンプ１２１は、外径５０ｍｍ、内径４６ｍｍ、肉厚２ｍｍの球体状に形成されており、シリコーンゴムで構成される。
このポンプ１２１は、弾性変形するものである。使用者等がこのポンプ１２１を圧搾し、この圧搾を解除すると、ポンプ１２１は、その弾性力により元の形に戻ろうとする。ポンプ１２１は圧搾することで駆動する圧搾駆動部に該当する。
ポンプ１２１の上部には、筒状の第一接続部１２２が設けられている。この第一接続部１２２は、両端面が開口しており、一方の開口部はポンプ１２１内部に連通する。他方の開口部には、接続用チューブ１１の他方の端部１１２が挿入される。
逆止弁１２４は、接続用チューブ１１の他方の端部１１２に接続されており、第一接続部１２２内部に位置している。この逆止弁１２４はダックビル型と呼ばれるものであり、中空円筒状の本体部１２４Ａとこの本体部１２４Ａの先端に設けられた逆円錐形状（すり鉢状）の弁体１２４Ｂとを備える。弁体１２４Ｂの先端部には、スリットが形成され、このスリットが開くことで、排液や気体が接続用チューブ１１からポンプ１２１に流れることとなる。一方で、ポンプ１２１側から接続用チューブ１１に向かって排液や気体が移動しようとした場合には、弁体１２４Ｂの外周に圧力がかかり、スリットが閉鎖されるため、ポンプ１２１側から接続用チューブ１１に向かって排液や気体が移動することが防止される。
【００１３】
第二接続部１２３は、ポンプ１２１の下部に接続されている。この第二接続部１２３は、筒状で両端面が開口しており、一方の開口部はポンプ１２１内部に連通する。他方の開口部には、排液管１６が接続され、この排液管１６を介して、吸引器１２に貯留バッグ１３が接続されることとなる。
【００１４】
排液管１６の一方の端部は、貯留バッグ１３内部に挿入される。排液管１６の貯留バッグ１３側の先端には、逆止弁１７が設けられている。
逆止弁１７は、２枚のシートを筒状に貼り合わせたものである。筒状の逆止弁１７の一方の端部には、排液管１６が挿入され、筒状の逆止弁１７の一方の端部は、排液管１６の周囲を覆っている。逆止弁１７の他方の端部は、排液や気体がポンプ１２１から貯留バッグ１３に向かって流れる際に、開口し、ポンプ１２１から貯留バッグ１３へ排液や気体を通す。
一方で、貯留バッグ１３側からポンプ１２１側に向かって排液や気体が移動しようとした場合には、逆止弁１７の外周に圧力がかかり、逆止弁１７の他方の端部の開口が閉鎖されるため、貯留バッグ１３側からポンプ１２１側に向かって排液や気体が移動することが防止される。
【００１５】
貯留バッグ１３は、接続用チューブ１１およびポンプ１２１を介して吸引した排液を貯留するものである。貯留バッグ１３は、たとえば、５００〜１０００ｍｌの容量を有する長方形形状の袋であり、その上端側に通気口１３１が形成されている。通気口１３１には、疎水性の通気フィルタ１３２が装着されている。また、図示しないが、貯留バッグ１３の外面には、貯留した排液の容量を計測するための目盛が記載されている。
【００１６】
なお、符号１８は、支持部材であり、吸引器１２を下側から支持するとともに、貯留バッグ１３の上端を支持している。また、符号１０は、貯留バッグ１３を懸架する懸架部材である。
【００１７】
以上のような医療用排液用具１は、気体供給手段１５と、切り替え手段１９を有する。
気体供給手段１５は、接続用チューブ１１に接続され、接続用チューブ１１内へ気体を供給するものである。具体的には、本実施形態では、気体供給手段１５は、チューブ１５１と、このチューブ１５１に設けられた除菌フィルタ１５２と、気体供給源（本実施形態では大気）とを備える。
チューブ１５１の一方の端部は、接続用チューブ１１に接続されている。チューブ１５１の他方の端部は、大気に面しており、気体供給源である大気に接続されている。
ここで、チューブ１５１の一方の端部は、逆止弁１２４よりも上流側に接続、すなわち、接続用チューブ１１に接続されていればよいが、接続用チューブ１１のうち、接続用チューブ１１の長手方向の中心部から、吸引器１２に接続された端部１１２までの間の領域に、接続されていることが好ましい。なかでも、接続用チューブ１１のうち、吸引器１２に接続された端部１１２の先端から、接続用チューブ１１の長さの１/４の範囲内の領域に、チューブ１５１の一方の端部が接続されることが好ましい。
このようにすることで、チューブ１５１からの気体を、接続用チューブ１１を介してポンプ１２１内部に供給しやすくすることができる。
なお、図３に示すように、チューブ１５１と接続用チューブ１１とがY字となるように、チューブ１５１と接続用チューブ１１とを接続してもよい。換言すると、接続用チューブ１１から上向きに延びるように、チューブ１５１が接続用チューブ１１に対し接続されていてもよい。このようにすることで、接続用チューブ１１内に存在する排液や組織等の詰まりが、チューブ１５１に流入してしまうことを防止できる。
【００１８】
除菌フィルタ１５２は、樹脂から構成されたハウジングと、このハウジング内部に配置されたフィルタ本体とを備える。チューブ１５１は、ハウジングを貫通し、チューブ１５１内部と、ハウジング内部とは連通している。チューブ１５１の他方の端部から導入された気体（本実施形態では空気）は、除菌フィルタ１５２のフィルタ本体を通過し、接続用チューブ１１内に導入されることとなる。
フィルタ本体はメンブレンフィルタからなるが、一般的なスクリーンタイプ、デプスタイプ、アニソトロピックタイプ等の一般フィルタ等も使用できる。
【００１９】
切り替え手段１９は、気体供給手段１５から接続用チューブ１１への気体の供給、停止を切り替える。本実施形態では、切り替え手段１９は、チューブ１５１に設けられたクリップ（開閉弁）１９である。このクリップ１９は、除菌フィルタ１５２と、チューブ１５１の接続用チューブ１１に接続された端部との間に配置されている。この位置にクリップ１９を設けることで、かりに接続用チューブ１１から排液がチューブ１５１内部に流入することがあったとしても、クリップ１９により、チューブ１５１内部の流路を閉鎖することで、除菌フィルタ１５２と排液とが接触してしまうことを防止できる。
【００２０】
次に、以上のような医療用排液用具１の使用方法およびその効果について説明する。
はじめに、カテーテル３を接続用チューブ１１の端部１１１に接続する。そして、カテーテル３を人体の創腔等に配置する。また、クリップ１９により、チューブ１５１内の気体の流路をあらかじめ閉鎖しておく。
【００２１】
次に、使用者が、ポンプ１２１を圧搾する。その後、圧搾を解除すると、弾性体であるポンプ１２１は、もとの形状に復元しようとするが、この復元力により、接続用チューブ１１内の気体がポンプ１２１側に吸引され負圧が発生する。すなわち、接続用チューブ１１内およびポンプ１２１内部は負圧となる。そして、この負圧により、排液を吸引する吸引力が発生する。排液は、接続用チューブ１１を通り、逆止弁１２４を通過し、ポンプ１２１内部に流れることとなる。ポンプ１２１内部に流れた排液は、排液管１６、逆止弁１７を介して貯留バッグ１３に自然落下することとなる。
【００２２】
ここで、使用者がクリップ１９を操作して、チューブ１５１内の気体の流路を開くと、チューブ１５１内部には大気が流入することとなる。より詳細に説明すると、前述したように、接続用チューブ１１内部は負圧となっているので、接続用チューブ１１内の気圧は、大気圧よりも低くなっている。すなわち、チューブ１５１の端部は、接続用チューブ１１内部の気圧（少なくとも、接続用チューブ１１内部で発生する負圧の最大値）よりも高い気圧の気体供給源（本実施形態では大気）に接続されているといえる。そのため、チューブ１５１内の気体の流路を開くと、高圧側から低圧側に向かって気体（大気）が流れる。大気は、除菌フィルタ１５２を通り、接続用チューブ１１に流入する。
【００２３】
ポンプ１２１内部も負圧となっており、気体供給源よりも気圧が低くなっている。接続用チューブ１１に流入した大気は、逆止弁１２４を介して吸引器１２のポンプ１２１内部に流入する。これにより、ポンプ１２１内部の気圧はあがり、貯留バッグ１３内部の気圧と、ポンプ１２１内部の気圧との差を低減させることができる。とくに、本実施形態では、ポンプ１２１内部の気圧は、ほぼ大気圧にひとしくなり、貯留バッグ１３内部の気圧と、ポンプ１２１内部の気圧との差を解消することができる。これにより、ポンプ１２１側から貯留バッグ１３へ排液が流れることを促進させることができ、排液量を正確に把握することができる。
【００２４】
また、前述したように、使用者がクリップ１９を操作して、チューブ１５１内の気体の流路を開くと、除菌フィルタ１５２、チューブ１５１を介して、接続用チューブ１１内に気体が流入することとなる。これにより、接続用チューブ１１内の気圧が高まることとなるので、カテーテル３が人体の組織に吸着している場合に、この吸着を解除することができる。したがって、人体からカテーテルを抜き去る場合において、チューブ１５１内の気体の流路を開き、接続用チューブ１１内の気圧を高めることで、容易にカテーテルを抜き去ることができる。
【００２５】
さらに、本実施形態の医療用排液用具１では、ミルキングアクションを行うことができる。ミルキングアクションとは、接続用チューブ１１内部に排液や組織等が詰まった場合に、排液や組織等の詰まりを解消する操作である。
【００２６】
具体的には、以下のようにして行なう。なお、ここでは、排液や組織等の詰まりは、接続用チューブ１１のチューブ１５１が接続された部分よりも上流側の部分に存在しているとする。
あらかじめ、クリップ１９により、チューブ１５１内の気体の流路を閉鎖しておく（工程Ｓ１）。次に、ポンプ１２１を圧搾し、圧搾を解除することで、接続用チューブ１１内の排液や組織等の詰まりを吸引する（工程Ｓ２）。ここでは、接続用チューブ１１内部に排液や組織等が詰まっているので、接続用チューブ１１内の気体のうち、排液や組織等の詰まりから下流側の気体が主としてポンプ１２１側に吸引されることとなる。これに伴い、排液や組織等の詰まりがポンプ１２１側に前進することとなる。排液や組織等の詰まりは、前進するものの、粘性が高く、接続用チューブ１１との間で摩擦が生じるので、一定程度前進すると、停止してしまう。
【００２７】
次に、クリップ１９によるチューブ１５１の気体の流路の閉鎖を解除し、チューブ１５１、接続用チューブ１１を介して、ポンプ１２１内部に気体を送り込む（工程Ｓ３）。このとき、チューブ１５１から接続用チューブ１１内に気体が導入されるため、気体は、接続用チューブ１１とチューブ１５１の接続点からポンプ１２１側に向かって流れるだけでなく、接続用チューブ１１とチューブ１５１の接続点から、排液や組織等の詰まりに向かって流れようとする可能性がある。接続用チューブ１１とチューブ１５１の接続点から、排液や組織等の詰まりに向かって気体が流れてしまうと、詰まりが接続用チューブ１１の上流側（カテーテル３側）に後退してしまう虞がある。
そこで、接続用チューブ１１内をポンプ１２１側に向かって流れる気体の流速（ｍｌ／ｓ）よりも、チューブ１５１から接続用チューブ１１に向かって流れる気体の流速（ｍｌ／ｓ）を遅くしておくことが好ましい。接続用チューブ１１内をポンプ１２１側に向かって流れる気体の流速が、チューブ１５１から接続用チューブ１１に導入される気体の流速よりも速ければ、チューブ１５１から接続用チューブに導入される気体が排液や組織等の詰まりに向かって気体が流れてしまうことを抑制できる。これにより、排液や組織等の詰まりが接続用チューブ１１内で後退してしまうことが防止される。
本実施形態では、ポンプ１２１内部に気体を送り込む工程においては、排液や組織等の詰まりは、接続用チューブ１１内で移動せずに、停止した状態となる。
【００２８】
たとえば、クリップ１９によるチューブ１５１内の流路の閉鎖を徐々に解消して、チューブ１５１から接続用チューブ１１に向かって流れる気体の流速（ｍｌ／ｓ）を、接続用チューブ１１内をポンプ１２１側に向かって流れる気体の流速（ｍｌ／ｓ）よりも遅くすることができる。
また、たとえば、チューブ１５１の流路の径を、接続用チューブ１１の流路の径よりも小さくすることで、チューブ１５１から接続用チューブ１１に向かって流れる気体の流速（ｍｌ／ｓ）を、接続用チューブ１１内をポンプ１２１側に向かって流れる気体の流速（ｍｌ／ｓ）よりも遅くしてもよい。
なお、本実施形態では、ポンプ１２１内部に気体を送り込む工程においては、排液や組織等の詰まりは、接続用チューブ１１内で移動せずに、停止した状態となる。
【００２９】
その後、再度クリップ１９により、チューブ１５１内の気体の流路を閉鎖する（工程Ｓ４）。次に、工程Ｓ２と同様の工程を実施する。すなわち、ポンプ１２１を圧搾し、その後、この圧搾を解除する。これにより、接続用チューブ１１内の排液や組織等を吸引して、ポンプ１２１側に前進させる。以上の工程を繰り返すことで、接続用チューブ１１内部にある排液や組織等をポンプ１２１側に移動させる。排液や組織等の詰まりが、接続用チューブ１１とチューブ１５１の接続点よりも下流側に移動してしまった後は、チューブ１５１からの気体が、ポンプ１２１内部に入りにくくなるため、ポンプ１２１の圧搾、圧搾の解除を行なっても、排液や組織等の詰まりの前進量が少なくなることが考えられる。しかしながら、本実施形態では、接続用チューブ１１とチューブ１５１の接続点から、ポンプ１２１までの距離は短いため、排液や組織等の詰まりの前進量が少なくなっても問題ない。また、接続用チューブ１１とチューブ１５１の接続点よりも下流側に移動した排液や組織等の詰まりは、自重によりポンプ１２１側に自然落下する場合もある。
この点を考慮すると、チューブ１５１と接続用チューブ１１との接続点は、接続用チューブ１１の長手方向の中心部から、吸引器１２に接続された端部までの間の領域にあることが好ましい。なかでも、前記接続点は、吸引器１２に接続された端部から、接続用チューブ１１の長さの１/４の範囲内の領域にあることがより好ましい。
【００３０】
なお、特許文献１に開示されたような従来の医療用排液用具では、以下のようにミルキングアクションを実施していた。
吸引器９１を圧搾し、この圧搾を解除して発生する吸引力により、排液や組織等の詰まりを前進させる。その後、排液や組織等の詰まりは、一定程度前進すると停止する。この段階で、吸引器９１器は、元の形状に戻っておらず、ある程度潰れた状態となっている。この潰れた状態の吸引器９１を再度圧搾するとともに圧搾を解除する。これにより、吸引力が発生するが、潰れた状態の吸引器９１を再度圧搾しているため、２回目の圧搾および圧搾の解除により発生する吸引力は比較的小さいものとなる。従って、排液や組織等の詰まりを十分に前進させることは難しい。そのため、ミルキングアクションに時間を要することとなる。
これに対し、本実施形態の医療用排液用具１は、クリップ１９が設けられたチューブ１５１を備えている。そのため、クリップ１９によるチューブ１５１の閉鎖を解除することで、チューブ１５１を介して、ポンプ１２１内に気体を導入することができる。これにより、ポンプ１２１の形状を圧搾前の元の形状に戻すことができる。従って、２回目にポンプ１２１を圧搾し、圧搾を解除させる場合においても、１回目と同様の吸引力を発生させることができる。そのため、排液や組織等の詰まりを十分に前進させることができ、迅速に詰まりを解消させることができる。
【００３１】
また、本実施形態では、ポンプ１２１を圧搾し圧搾を解除することで、接続用チューブ１１内部は負圧となるが、この負圧よりも、高い気圧の気体供給源（大気）に、チューブ１５１の端部を接続しているので、チューブ１５１内の気体の流路を開くことで、高圧側から低圧側に向かって、チューブ１５１内に気体（大気）が自然に流れることとなる。したがって、気体をチューブ１５１内部に強制的に導入するための動力が不要であるため、医療用排液用具１の構成を簡略化することができる。
【００３２】
（第二実施形態）
図２を参照して、本発明の第二実施形態について説明する。
第一実施形態では、チューブ１５１は、大気に接続されていた。これに対し、本実施形態の医療用排液用具２においては、チューブ１５１の端部は、貯留バッグ１３に接続されている。また、本実施形態では除菌フィルタは設けられていない。他の点は前記実施形態の医療用排液用具１と同様の構成である。
【００３３】
次に、本実施形態について詳細に説明する。
本実施形態では、チューブ１５１の端部は、貯留バッグ１３に接続されている。チューブ１５１は貯留バッグ１３に連通し、貯留バッグ１３内の気体がチューブ１５１内に流入することとなる。貯留バッグ１３内部には気体（空気）が存在し、この貯留バッグ１３が気体供給源となる。すなわち、本実施形態では、チューブ１５１と、気体供給源である貯留バッグ１３とで気体供給手段２５が構成される。ポンプ１２１を圧搾し圧搾を解除することで、接続用チューブ１１内部は負圧となるが、この負圧よりも、貯留バッグ１３内部の気圧は、高くなっている。少なくとも、接続用チューブ１１内部で発生する負圧の最大値よりも、貯留バッグ１３内部の気圧は、高くなっている。なお、本実施形態では、貯留バッグ１３には、通気口１３１が設けられているので、貯留バッグ１３内部の気圧は大気圧と等しくなっている。
【００３４】
このような本実施形態における医療用排液用具２では、前記実施形態と同様の使用方法で使用することができ、前記実施形態と同様の効果を奏することができる。
より、具体的に説明すると、前記実施形態と同様に、はじめに、カテーテル３を接続用チューブ１１の端部１１１に接続するとともに、カテーテル３を人体の創腔等に配置する。また、クリップ１９により、チューブ１５１内の気体の流路をあらかじめ閉鎖しておく。
【００３５】
次に、使用者が、ポンプ１２１を圧搾した後、圧搾を解除する。これにより、接続用チューブ１１内の気体がポンプ１２１側に吸引され負圧が発生する。排液は、接続用チューブ１１を通り、逆止弁１２４を通過し、ポンプ１２１内部に流れることとなる。ポンプ１２１内部に流れた排液は、排液管１６、逆止弁１７を介して貯留バッグ１３に自然落下することとなる。
【００３６】
ここで、使用者がクリップ１９を操作して、チューブ１５１内の気体の流路を開くと、チューブ１５１内部には貯留バッグ１３内部の気体（本実施形態では、空気）が流入することとなる。接続用チューブ１１内部は負圧となるので、接続用チューブ１１内の気圧は、貯留バッグ１３内部の気圧よりも低くなっている。すなわち、チューブ１５１の端部は、接続用チューブ１１内部の気圧よりも高い気圧の気体供給源（本実施形態では大気）に接続されているといえる。そのため、チューブ１５１内の気体の流路を開くと、高圧側から低圧側に向かって気体（大気）が流れる。
【００３７】
ポンプ１２１内部も負圧となっており、気体供給源よりも気圧が低くなっている。接続用チューブ１１に流入した大気は、逆止弁１２４を介して吸引器１２のポンプ１２１内部に流入する。これにより、ポンプ１２１内部の気圧はあがり、貯留バッグ１３内部の気圧と、ポンプ１２１内部の気圧との差を低減させることができる。とくに、本実施形態では、ポンプ１２１内部の気圧は、ほぼ大気圧にひとしくなり、貯留バッグ１３内部の気圧と、ポンプ１２１内部の気圧との差を解消することができる。これにより、ポンプ１２１側から排液を貯留バッグ１３へスムーズに排出させることができ、排液量を正確に把握することができる。
【００３８】
さらに、前記実施形態と同様に、本実施形態の医療用排液用具２においても、クリップ１９によるチューブ１５１内の気体の流路の閉鎖を解除することで、カテーテル３が人体の組織に吸着している場合に、この吸着を解除することができる。
また、前記実施形態と同様の方法で、ミルキングアクションを行うこともできる。
【００３９】
なお、本発明は前述の実施形態に限定されるものではなく、本発明の目的を達成できる範囲での変形、改良等は本発明に含まれるものである。
たとえば、第一実施形態では、除菌フィルタ１５２を介して大気をチューブ１５１および接続用チューブ１１内部に導入していたが、除菌フィルタ１５２はなくてもよい。たとえば、清浄化された空気を容器内部に充填し、チューブ１５１を前記容器に接続することで、チューブ１５１および接続用チューブ１１内部に清浄化された空気を導入してもよい。ポンプ１２１を圧搾し、解除したことにより、接続用チューブ１１内部は、負圧となるが、清浄化された空気が充填された容器内部の気圧は、接続用チューブ１１内部で発生する負圧の最大値よりも、高いことが好ましい。接続用チューブ１１内で発生する負圧の最大値よりも、前記容器内部の気圧が高ければ、接続用チューブ１１内の負圧が最大値となった際に、クリップ１９を取り外し、気圧差を利用して接続用チューブ１１内に気体を供給できる。なお、より好ましくは、容器内部の気圧（気体供給源の気圧）は大気圧以上である。
また、清浄化された空気が充填された容器を圧搾して、空気をチューブ１５１内に強制的に送気してもよい。
【００４０】
さらに、前記実施形態では、クリップ１９により、チューブ１５１内の流路の開閉を行なったが、これに限らず、たとえば、チューブ１５１の端部の開口を閉鎖することで、チューブ１５１を介した接続用チューブ１１への気体の供給、停止を行なってもよい。
また、前記各実施形態では、ポンプ１２１は、球状の中空の弾性体で構成されていたが、これに限らず、たとえば、蛇腹形状の中空の弾性体で構成されていてもよい。
【符号の説明】
【００４１】
１    医療用排液用具
２    医療用排液用具
３    カテーテル
１０    懸架部材
１１    接続用チューブ
１２    吸引器
１３    貯留バッグ
１５    気体供給手段
１６    排液管
１７    逆止弁
１８    支持部材
１９    クリップ
２５    気体供給手段
９０    医療用排液用具
９１    吸引器
９２    収集バッグ
９３    チューブ
１１１    端部
１１２    端部
１２１    ポンプ
１２２    第一接続部
１２３    第二接続部
１２４    逆止弁
１２４Ａ    本体部
１２４Ｂ    弁体
１３１    通気口
１３２    通気フィルタ
１５１    チューブ
１５２    除菌フィルタ
【図１】
2013070901.tif 000003
【図２】
2013070901.tif 000004
【図３】
2013070901.tif 000005
【図４】
2013070901.tif 000006